(57)【要約】【課題】できる限りピット内に人が立ち入らずにポンプを水槽の配管に対して着脱できるようにする。【解決手段】一実施形態によれば、ポンプが提供され、かかるポンプは、モータ部と、ケーシング部と、を有し、前記モータ部は、羽根車と、前記羽根車を回転駆動するためのモータと、第１係合部を備えるフランジと、を有し、前記ケーシング部は、吐出口を備えるケーシング、を有し、前記ケーシングは、前記フランジの前記第１係合部と係合するように構成される第２係合部を備える。【選択図】図２
2018071456.tif 000002
【特許請求の範囲】
【請求項１】
ポンプであって、
モータ部と、
ケーシング部と、を有し、
前記モータ部は、
羽根車と、
前記羽根車を回転駆動するためのモータと、
第１係合部を備えるフランジと、を有し、
前記ケーシング部は、
吐出口を備えるケーシング、を有し、前記ケーシングは、前記フランジの前記第１係合部と係合するように構成される第２係合部を備える、
ポンプ。
【請求項２】
請求項１に記載のポンプであって、
前記第１係合部および前記第２係合部は、前記ポンプが運転されるときに、前記羽根車の回転方向と反対方向に前記モータ部が回転することを防止するように構成される、
ポンプ。
【請求項３】
請求項１または２に記載のポンプであって、
前記第１係合部および前記第２係合部は、前記羽根車を運転方向に回転させたときに、互いに係合し、前記羽根車を運転方向と逆方向に回転させたときに脱係合する、ように構成される、
ポンプ。
【請求項４】
請求項１乃至３のいずれか一項に記載のポンプであって、
前記第１係合部は、前記フランジから半径方向に延びる突起部を有し、
前記第２係合部は、前記羽根車の回転軸の方向に延びる軸方向部分と、前記ケーシングの円周方向に延びる円周方向部分と、を有し、前記円周方向部分は、前記軸方向部分から前記羽根車の運転方向に延びる、
ポンプ。
【請求項５】
請求項４に記載のポンプであって、
前記円周方向部分は、上面および下面を有し、前記上面は前記下面に向かう方向に傾斜する傾斜部を有する、
ポンプ。
【請求項６】
請求項１乃至３のいずれか一項に記載のポンプであって、
前記第１係合部は、前記羽根車の回転軸の方向に延びる軸方向部分と、前記ケーシングの円周方向に延びる円周方向部分と、を有し、前記円周方向部分は、前記軸方向部分から前記羽根車の運転方向と反対方向に延び、
前記第２係合部は、前記ケーシングから半径方向に延びる突起部を有する、
ポンプ。
【請求項７】
請求項６に記載のポンプであって、
前記円周方向部分は、上面および下面を有し、前記下面は前記上面に向かう方向に傾斜する傾斜部を有する、
ポンプ。
【請求項８】
請求項１乃至７のいずれか一項に記載のポンプであって、さらに、
前記第１係合部および前記第２係合部の係合／脱係合を検出するためのセンサを有する、
ポンプ。
【請求項９】
悪臭防止型排水設備であって、
請求項１乃至８のいずれか一項に記載のポンプを有する、
悪臭防止型排水設備。
【請求項１０】
請求項１乃至８のいずれか一項に記載のポンプのモータ部とケーシング部とを係合させる方法であって、
前記フランジを前記ケーシングに接触させるステップと、
前記モータを運転方向に駆動するステップと、
を有する、方法。
【請求項１１】
請求項１乃至８のいずれか一項に記載のポンプのモータ部とケーシング部とを脱係合させる方法であって、
前記モータを運転方向と逆方向に駆動するステップ、を有する、
方法。
【発明の詳細な説明】
【技術分野】
【０００１】
本発明はポンプおよびポンプの着脱機構に関する。
【背景技術】
【０００２】
図９は、建築物５００の地下部分に形成された排水設備を概略的に示す図である。図９に示すように、建築物５００の地階部分Ｂは、公共下水道管８０よりも下に位置している場合がある。従来、こうした地階部分Ｂで生じた汚水及び雑排水等（以下、汚水等という）や建築物５００内で発生した汚水等は、流入管８１を介して更に下に設置された大きな排水槽（ピット）８５に一時貯留される。その後、汚水等は、排水槽８５内に設置された排水用のポンプ９０によって汚水ます９１に汲み上げられ、汚水ます９３を介して公共下水道管８０に排水される。なお、建築物５００の１階以上の部分で生じる汚水等は、直接に自然流下で汚水ます９１に排水してもよい。
【０００３】
こうした設備では、ポンプ９０は、排水槽８５内の水位が所定の水位になった場合に運転が開始される。しかし、排水槽８５内の水位が所定の水位まで至らずに排水槽８５の底部に汚水等が長時間残留すると、腐敗が進行して、公共下水道管８０への放流時にマンホール等から悪臭が発生する場合がある。
【０００４】
上記問題は、排水槽８５が大きすぎることにより、水槽底面の面積が大きく、残留する汚水等の水量が多くなるために顕著になっている。これを改善するため図９に示す排水槽８５においては、排水槽８５の底盤８７にポンプ９０に向けて下降する勾配を設けたり、ポンプ９０を設置する部分の底盤８７に凹部８９を設けたりしている。また、ポンプ９０の運転方法を改善して、例えばポンプオフ水位ＷＬ２までポンプ９０を運転した後、さらに所定時間にわたってポンプ９０の運転を継続するようにして、できるだけ残留する汚水等の水量を減らすようにしている。
【０００５】
しかしながら上記のように改善しても、残留する汚水や雑排水の量は依然として多く、汚水や雑排水の腐敗進行を抑制するまでには至っていない。このため、大きな排水槽（ピット）内に小型の筒形水槽（バレル）等を配置して、小型の水槽内にポンプを採用した悪臭防止型排水設備が提案されている（たとえば特許文献１）。
【先行技術文献】
【特許文献】
【０００６】
【特許文献１】特開２００２−７０１４２号公報
【発明の概要】
【発明が解決しようとする課題】
【０００７】
上記した悪臭防止型排水設備では、ピットに形成されているマンホールを通じてバレルをピット内に搬入できるように、バレルの径がマンホールの径に合わせて設計される。また、バレルの径が制限されるため、１つのバレルには１つの水中ポンプが配置される。バレルの径は大きくすることができないため、複数人がバレル内に入ることは難しく、バレル内の清掃等の作業は煩雑であった。水中ポンプをメンテナンスするときには、例えばポンプに接続されている配管が外されてバレルの上方からポンプが引き上げられる。汚水用の水中ポンプでは、着脱装置によってポンプの着脱が行われる場合もあるが、バレルの限られたスペースに着脱装置を設置することは難しい。そのため、容易に水槽内の配管に対して着脱できる構造を備えるポンプが望まれる。
【０００８】
また、上記の問題に対処するために、バレルなどのピット内の小型の水槽の外に排水ポンプを配置して、水槽内から汚水を排出するように構成される排水設備が考えられる。排水ポンプを水槽の外に設けることでポンプのメンテナンスが容易になる。しかし、水槽が配置されるピット内には悪臭や有毒ガスが発生している場合があるため、ポンプの交換やメンテナンスの際は、ピットの外にポンプを引き上げて、ピット内に人が立ち入らずにポンプの交換やメンテナンスを行いたい、という要望がある。そのため、できる限りピット内に人が立ち入らずに排水ポンプを水槽の配管に対して着脱できるポンプが望まれる。
【課題を解決するための手段】
【０００９】
［形態１］形態１によれば、ポンプが提供され、かかるポンプは、モータ部と、ケーシング部と、を有し、前記モータ部は、羽根車と、前記羽根車を回転駆動するためのモータと、第１係合部を備えるフランジと、を有し、前記ケーシング部は、吐出口を備えるケーシング、を有し、前記ケーシングは、前記フランジの前記第１係合部と係合するように構成される第２係合部を備える。形態１によれば、モータ部側に設けられた第１係合部、およびケーシング側に設けられた第２係合部により、モータ部とケーシング部とを着脱することができ、モータ部だけを分離して移動させることができる。
【００１０】
［形態２］形態２によれば、形態１によるポンプにおいて、前記第１係合部および前記第２係合部は、前記ポンプが運転されるときに、前記羽根車の回転方向と反対方向に前記モータ部が回転することを防止するように構成される。形態２によれば、第１係合部および第２係合部がモータ部の回転を防止することができるので、たとえばボルトなどの他の回転防止機構が無くてもよい。
【００１１】
［形態３］形態３によれば、形態１または形態２によるポンプにおいて、前記第１係合部および前記第２係合部は、前記羽根車を運転方向に回転させたときに、互いに係合し、前記羽根車を運転方向と逆方向に回転させたときに脱係合する、ように構成される。形態３によれば、ポンプの回転を利用してモータ部とケーシング部との着脱を行うことができるので、着脱を行うときに特別な工具を必要としない。
【００１２】
［形態４］形態４によれば、形態１から形態３のいずれか１つの形態によるポンプにおいて、前記第１係合部は、前記フランジから半径方向に延びる突起部を有し、前記第２係合部は、前記羽根車の回転軸の方向に延びる軸方向部分と、前記ケーシングの円周方向に延びる円周方向部分と、を有し、前記円周方向部分は、前記軸方向部分から前記羽根車の運転方向に延びる。
【００１３】
［形態５］形態５によれば、形態４によるポンプにおいて、前記円周方向部分は、上面および下面を有し、前記上面は前記下面に向かう方向に傾斜する傾斜部を有する。形態５によれば、モータ部をケーシング部に向かって移動させる際に、フランジの突起部が、ケーシング部の円周方向部分の上面に接触したとしても、突起部が円周方向部分の上面の傾斜部をすべり下り、フランジをケーシングの適切な位置に接触させることができる。
【００１４】
［形態６］形態６によれば、形態１から形態３のいずれか１つの形態によるポンプにおいて、前記第１係合部は、前記羽根車の回転軸の方向に延びる軸方向部分と、前記ケーシングの円周方向に延びる円周方向部分と、を有し、前記円周方向部分は、前記軸方向部分から前記羽根車の運転方向と反対方向に延び、前記第２係合部は、前記ケーシングから半径方向に延びる突起部を有する。
【００１５】
［形態７］形態７によれば、形態６によるポンプにおいて、前記円周方向部分は、上面および下面を有し、前記下面は前記上面に向かう方向に傾斜する傾斜部を有する。形態７によれば、モータ部をケーシング部に向かって移動させる際に、フランジの円周方向部分
の下面がケーシング部の突起部に接触したとしても、突起部が円周方向部分の下面の傾斜部に沿って移動し、フランジをケーシングの適切な位置に接触させることができる。
【００１６】
［形態８］形態８によれば、形態１から形態７のいずれか１つの形態によるポンプにおいて、さらに、前記第１係合部および前記第２係合部の係合／脱係合を検出するためのセンサを有する。形態８によれば、離れた位置からでもモータ部とケーシング部との着脱を確認することが可能になる。
【００１７】
［形態９］形態９によれば、悪臭防止型排水設備が提供され、かかる悪臭防止型排水設備は、形態１から形態８のいずれか１つの形態のポンプを有する。
【００１８】
［形態１０］形態１０によれば、形態１から形態８のいずれか１つの形態によるポンプのモータ部とケーシング部とを係合させる方法が提供され、かかる方法は、前記フランジを前記ケーシングに接触させるステップと、前記モータを運転方向に駆動するステップと、を有する。
【００１９】
［形態１１］形態１１によれば、形態１から形態８のいずれか１つの形態によるポンプのモータ部とケーシング部とを脱係合させる方法であって、かかる方法は、前記モータを運転方向と逆方向に駆動するステップ、を有する。
【図面の簡単な説明】
【００２０】
【図１】一実施形態によるポンプ、およびポンプを利用した排水設備の全体構成を概略的に示す図である。
【図２】一実施形態によるポンプのモータ部１００とケーシング部２００との間の着脱構造を示す斜視図である。
【図３】図２に示されるモータ部とケーシング部とを係合させる直前の状態を表す側面図である。
【図４】図２に示されるモータ部とケーシング部とを係合させた状態を表す側面図である。
【図５】モータ部をケーシング部に接続する方法を説明するフローチャートである。
【図６】モータ部をケーシング部から取り外す方法を説明するフローチャートである。
【図７Ａ】一実施形態による、モータ部とケーシング部とが接続された状態を示す側面図である。
【図７Ｂ】一実施形態による、モータ部とケーシング部とが分離された状態を示す側面図である。
【図８】一実施形態によるポンプ、およびポンプを利用した排水設備の全体構成を概略的に説明する図である。
【図９】建築物の地下部分に形成された排水設備を概略的に示す図である。
【発明を実施するための形態】
【００２１】
以下に、本発明に係るポンプおよび該ポンプを利用した排水設備の実施形態を添付図面とともに説明する。添付図面において、同一または類似の要素には同一または類似の参照符号が付され、各実施形態の説明において同一または類似の要素に関する重複する説明は省略することがある。また、各実施形態で示される特徴は、互いに矛盾しない限り他の実施形態にも適用可能である。
【００２２】
図１は、一実施形態によるポンプ２０、およびポンプ２０を利用した排水設備１０の全体構成を概略的に示す図である。図１は、ポンプ２０がビルのような建築物５００の地階部分Ｂの排水設備に利用される形態を示している。
【００２３】
図１に示されるように、排水設備１０は、建築物（たとえばビル）５００の地階部分Ｂの下側に設置された排水槽であるピットＰｉ内に設けられる。ピットＰｉには、開口部（マンホール）５０２が形成されており、開口部５０２には蓋（図示せず）が取り付けられる。図１に示されるように、排水設備１０は、ピットＰｉ内に設けられた汚水槽１２と、汚水槽１２の流出口１６に接続されたポンプ２０と、を備える。
【００２４】
図１に示される実施形態において、ポンプ２０は、水中でも運転可能な水中ポンプとすることができる。水中でも運転可能な水中ポンプを使用することで、たとえば汚水槽１２から、汚水がピットＰｉ内に溢れ出してポンプ２０のモータＭｏが水没した場合でもポンプ運転が可能になる。しかし、ポンプ２０のモータＭｏが水没しないことが保障される環境であるなら、耐水性の無い陸上ポンプを使用してもよい。また、図１に示される実施形態において、ピットＰｉ内に浸入した水を排水するためのポンプ（図示せず）及び配管をさらに設けてもよい。
【００２５】
図１に示される実施形態において、汚水槽１２は全体として略直方体状（箱型）であり、底面１２ａ、側面１２ｂ、および上面１２ｃにより画定される内部空間を有している。一実施形態として、汚水槽１２は、たとえば小型の筒形水槽（バレル）とすることができ、または、開口部５０２からピットＰｉ内に搬入可能な小型の複数のパネル部材を結合して形成される小型の水槽とすることができる。汚水槽１２は、建物の規模および水の使用量に応じて、汚水の流入量に見合った水を貯留することができ、且つ、予備の容量を備えるように形成される。この汚水槽１２には、上面１２ｃに開口部１３が形成されており、開口部１３は蓋１４で覆われている。汚水槽１２には、蓋１４を貫通して流入管１５が内部に挿入されている。流入管１５は、地階部分Ｂから配管され、地階部分Ｂにおいて発生した汚水等を汚水槽１２内に流入させる。
【００２６】
図１に示されるように、汚水槽１２の底面１２ａには、貯留した汚水等を流出させる流出口１６が設けられ、流出口１６にポンプ２０が接続されている。図１に示される実施形態において、汚水槽１２の底面１２ａには凹部を設けられ、この凹部の側面１２ｂの底面近傍に流出口１６が設けられている。そのため、汚水槽１２内の汚水等が凹部に案内され、ポンプ２０の排水運転が終了したときに汚水等の残留量を少なくして汚水槽１２内の汚水の腐敗および悪臭の発生を抑制することができる。また、本実施形態では、汚水槽１２の底面１２ａは、流出口１６から遠いほど高さが大きく、流出口１６に近いほど高さが小さくなる傾斜が設けられている。これにより、汚水槽１２の汚水等をさらに効果的に流出口１６へ案内することができ、ポンプ２０の空運転を防止するとともに、汚水槽１２内に残留した汚水の腐敗および悪臭の発生をより抑制できる。
【００２７】
上述したように、ポンプ２０として、公知の水中ポンプまたは陸上ポンプを使用することができる。一例として、ポンプ２０は、立軸形ポンプとすることができる。立軸形ポンプは横軸形ポンプに比べて小さい設置面積に設置することができ、ピットＰｉ内の限られたスペースに設置するのに有効である。
【００２８】
図１に示されるように、ポンプ２０は、吐出口２６に吐出配管２２が接続されている。吐出配管２２には、逆流防止弁１７が設けられている。逆流防止弁１７は、吐出配管２２からポンプ２０側に水が戻ることを防止する。なお、逆流防止弁１７は、開口部５０２から手の届く範囲に配置されることが好ましい。一例として、逆流防止弁１７は、開口部５０２から５０ｃｍの範囲内に配置される。それにより、ピットＰｉ内に人が立ち入らずに、開口部５０２から逆流防止弁１７のメンテナンス作業や交換が可能になる。また、吐出配管２２の逆流防止弁１７の下流側に開閉弁１８が設けられている。開閉弁１８は、ポンプ２０のメンテナンス時などに吐出配管２２を閉鎖するために使用される。
【００２９】
図１に示されるように、汚水槽１２の流出口１６には、ポンプ２０の吸込配管となる固定配管２３が接続されている。固定配管２３は、ピットＰｉの床面に固定されている。また、固定配管２３は、ポンプ２０の吸込口および吐出口２６を画定するケーシング２０２に接続されている。ポンプ２０のケーシング２０２と固定配管２３とはボルトなどにより固定することができる。また、ポンプ２０の吐出口２６と吐出配管２２との間はボルトなどにより固定されている。
【００３０】
図１に示される実施形態において、地階部分Ｂに制御装置３００が配置される。制御装置３００には、汚水槽１２内に配置される水位センサ（図示せず）、ポンプ２０のモータＭｏが電気的に接続されている。制御装置３００は、汚水槽１２内の水位に応じてポンプ２０を動作させるように構成される。制御装置３００は、一般的なコンピュータ等から構成することができる。
【００３１】
図２は、一実施形態によるポンプ２０のモータ部１００とケーシング部２００との間の着脱構造を示す斜視図である。また、図３は、図２に示されるモータ部１００とケーシング部２００とを係合させる直前の状態を表す側面図である。図４は、図２に示されるモータ部１００とケーシング部２００とを係合させた状態を表す側面図である。
【００３２】
図２に示されるように、モータ部１００は、モータケーシング１０２を備え、モータケーシング１０２の中にモータ（図示せず）が配置されている。モータの回転軸には羽根車１０４が連結されており、モータにより羽根車１０４を回転させることができる。ケーシング２０２の底には、ポンプ２０の吸込口が形成されている。図１に示されるように、ケーシング２０２は固定配管２３に接続され、ポンプ２０の吸込口と固定配管２３が流体連通している。羽根車１０４が回転されると、吸込口からケーシング２０２内に流入した水は、羽根車１０４によりエネルギーが与えられ、ケーシング２０２に形成された吐出口２６から吐き出される。
【００３３】
図２に示されるように、モータ部１００のモータケーシング１０２に、フランジ１０６が取り付けられている。図２に示される実施形態において、フランジ１０６は、リング状の部材である。フランジ１０６は、たとえばボルト１０８などによりモータケーシング１０２に固定することができる。フランジ１０６には、半径方向に延びる係合部となる突起部１１０が２つ設けられている。
【００３４】
図２に示されるように、ケーシング２０２は円筒部２０４を備える。円筒部２０４は上縁２０６を備える。モータ部１００とケーシング部２００とが接続されるとき、フランジ１０６と上縁２０６とが接触する。なお、フランジ１０６の下面にＯリングやガスケットなどのシール部材を配置してもよい。図２に示されるようにケーシング２０２の円筒部２０４には、フランジ１０６の突起部１１０に係合する係合部であるフック２０８が設けられている。フック２０８は、羽根車１０４の回転軸に平行で且つ円筒部２０４からモータ部１００の方向に延びる軸方向部分２１０と、軸方向部分２１０からケーシング２０２の円周方向に延びる円周方向部分２１２と、を備える。円周方向部分２１２は、軸方向部分２１０から羽根車１０４の運転方向に延びる。図２に示される実施形態において、羽根車１０４は、モータ部１００の上から見て反時計回りに回転する。そのため、円周方向部分２１２は、モータ部１００の上から見て軸方向部分２１０から反時計回りの方向に延びている。また、円周方向部分２１２は、上面２１４および下面２１６を備え、上面２１４は下面２１６に向かう方向に傾斜する傾斜部を備える。なお、図示の実施形態において、係合部である突起部１１０およびフック２０８は、それぞれ２つ設けられているが、これらはそれぞれ１つでもよく、また、それぞれ３つでも、それ以上でもよい。
【００３５】
図５とともにモータ部１００とケーシング部２００との接続方法を説明する。図５は、モータ部１００をケーシング部２００に接続する方法を説明するフローチャートである。たとえば、図１に示されるピットＰｉ内にポンプ２０を配置する場合を例として説明する。まず、モータ部１００のケーシング部２００への接続を開始する段階で（Ｓ１００）、汚水槽１２の流出口１６に固定配管２３が固定されており、固定配管２３にケーシング部２００が予め固定されている。そして、ケーシング部２００には、吐出配管２２が接続された状態である。
【００３６】
この状態において、ポンプ２０のモータ部１００を、ピットＰｉの開口部５０２から下に降ろす（Ｓ１０２）。たとえば、モータ部１００に設けられた取付部３０に鎖などを接続して、クレーン等でモータ部１００をケーシング部２００に向けて下降させることができる。モータ部１００は、羽根車１０４がケーシング２０２の中に入り、フランジ１０６がケーシング２０２の上縁２０６に接触するまで下降させる。モータ部１００をケーシング部２００に向かって下降させているとき、フランジ１０６の突起部１１０がケーシング部２００のフック２０８の上面２１４に接触することがあり得る。上述したように、フック２０８の上面２１４は、傾斜部となっているので、突起部１１０がフック２０８に接触した場合でも、突起部１１０がフック２０８の上面２１４をすべり下り、フランジ１０６がケーシング２０２の上縁２０６に接触するまでモータ部１００を下降させることができる。図３は、モータ部１００のフランジ１０６がケーシング２０２の上縁２０６に接触するまでモータ部１００を下降させた状態を示している。なお、ポンプ２０のモータ部１００を下降させる際にガイド機構（図示せず）を用いて、モータ部１００がガイド機構に沿って下降するようにしてもよい。ガイド機構は、一例として、ピットＰｉ内に配置されたガイドレール、および、ガイドレールに係合しながらガイドレールに沿って移動可能なスライド部材をポンプ２０のモータ部１００に設けることにより実現することができる。ガイド機構として、他の機構を用いてもよい。
【００３７】
図３に示される状態において、モータを駆動して羽根車１０４を回転させる（Ｓ１０４）。このときのモータの回転方向は、汚水槽１２から汚水を排水するときにポンプ２０を駆動するときの回転方向である。羽根車１０４が回転させられると、反作用によりモータ部１００が羽根車１０４の回転方向と逆方向の力を受けて、モータ部１００が羽根車１０４と反対方向に回転する。そのため、モータ部１００のフランジ１０６に設けられた突起部１１０が、ケーシング２０２のフック２０８に係合する。図４は、モータ部１００のフランジ１０６に設けられた突起部１１０が、ケーシング２０２のフック２０８に係合した状態を示している。この状態でモータ部１００とケーシング部２００との接続が完了する（Ｓ１０６）。
【００３８】
なお、突起部１１０および／またはフック２０８にセンサを設けて、センサにより突起部１１０とフック２０８との間の接続が正しく完了しているかを確認するようにしてもよい。センサは、たとえば機械式のセンサや光学式のセンサなど、任意のものを利用することができる。また、センサは上述の制御装置３００に接続することができる。一実施形態として、センサにより突起部１１０とフック２０８との間の接続が確認されていない場合に、排水のためのポンプ２０の動作を禁止するように制御装置３００を構成することができる。
【００３９】
次に、図６とともにモータ部１００をケーシング部２００から取り外す方法を説明する。図６は、モータ部１００をケーシング部２００から取り外す方法を説明するフローチャートである。たとえば、図１に示されるピットＰｉ内に配置されたポンプ２０からモータ部１００を、メンテナンス等のためにピットＰｉ外に引き上げる場合を例として説明する。まず、モータ部１００をケーシング部２００からの取り外しを開始する段階で（Ｓ２００）、開閉弁１８などにより各種配管を閉鎖したり、モータ部１００の取付部３０に鎖な
どを接続したりして、モータ部１００の引き上げのための準備をする。モータ部１００のフランジ１０６に設けられた突起部１１０は、ケーシング２０２のフック２０８に係合した状態である（図４参照）。
【００４０】
図４に示される状態において、モータを反対方向に駆動して羽根車１０４を運転方向と反対方向に回転させる（Ｓ２０２）。ここで、反対方向とは、汚水槽１２から汚水を排水するときにポンプ２０を駆動するときの回転方向と反対方向という意味である。羽根車１０４が反対方向に回転させられると、反作用によりモータ部１００が羽根車１０４の回転方向と逆方向の力を受けて、モータ部１００が羽根車１０４と反対方向に回転する。この場合、上述した、モータ部１００をケーシング部２００に接続するときとは逆方向にモータ部１００が回転するので、モータ部１００のフランジ１０６の突起部１１０が、ケーシング部２００のフック２０８から脱係合する（図３の状態となる）。この時、上述したようなセンサを用いて、突起部１１０とフック２０８との脱係合を確認するようにしてもよい。なお、モータを反対方向に回転させるには、たとえばポンプ駆動用の３相モータの配線の任意の２つを入れ替えることや、インバータを使用することなどにより実現することができる。
【００４１】
突起部１１０とフック２０８とが脱係合した状態において、モータ部１００をクレーンなどで引き上げ、開口部５０２を通じてピットＰｉ外に取り出すことができる（Ｓ２０４）。モータ部１００をピットＰｉ外に引き上げたら（Ｓ２０６）、モータ部１００の洗浄やメンテナンスをピット外で行うことができる。なお、モータ部１００を引き上げる際にも、上述したようなガイド機構を利用してもよい。
【００４２】
図７Ａおよび図７Ｂは一実施形態による、モータ部１００とケーシング部２００との着脱構造を示す側面図である。図７Ａは、モータ部１００とケーシング部２００とが接続された状態を示し、図７Ｂは、モータ部１００とケーシング部２００とが分離された状態を示している。図７に示される実施形態においては、図２〜図４に示される実施形態とは異なり、モータ部１００のフランジ１０６にフック２０８が設けられ、ケーシング部２００の円筒部２０４に突起部１１０が設けられる。また、図７に示される実施形態において、フック２０８の下面２１６が上面２１４に向かう傾斜部となっている。図７に示される実施形態においても、図２〜図４に示される実施形態と同様の作用効果が生じる。また、図７に示される実施形態においても、図５、図６で説明したのと同様の手順でモータ部１００とケーシング部２００との着脱を行うことができる。
【００４３】
図８は、一実施形態による、排水設備１０の全体構成を概略的に説明する図である。図８の実施形態においては、図１に示される実施形態とは異なり、ポンプ２０は、水が貯留されるピットＰｉ内に配置される。そのためポンプ２０は耐水性のある水中ポンプとする必要がある。図８に示され実施形態において、ポンプ２０のケーシング部２００は、ピットＰｉの床面に固定されている。その他の構成については、上述した実施形態の任意の構成とすることができる。たとえば、ポンプ２０のモータ部１００とケーシング部２００とは、図２〜図４で説明した実施形態、または、図７Ａ、図７Ｂで説明して実施形態と同様の構造とすることができる。図８に示される実施形態において、ピットＰｉは、図１に示されるような建築物５００の地下構造に配置されるものでもよく、あるいは任意の地下構造、または地上に配置されるものでもよい。
【００４４】
以上、いくつかの例に基づいて本発明の実施形態について説明してきたが、上記した発明の実施形態は、本発明の理解を容易にするためのものであり、本発明を限定するものではない。本発明は、その趣旨を逸脱することなく、変更、改良され得るとともに、本発明には、その均等物が含まれることはもちろんである。また、上述した課題の少なくとも一部を解決できる範囲、または、効果の少なくとも一部を奏する範囲において、特許請求の
範囲および明細書に記載された各構成要素の任意の組み合わせ、または、省略が可能である。
【符号の説明】
【００４５】
１０…排水設備
１２…汚水槽
２０…ポンプ
２２…吐出配管
２３…固定配管
２６…吐出口
１００…モータ部
１０２…モータケーシング
１０４…羽根車
１０６…フランジ
１０８…ボルト
１１０…突起部
２００…ケーシング部
２０２…ケーシング
２０４…円筒部
２０６…上縁
２０８…フック
２１０…軸方向部分
２１２…円周方向部分
２１４…上面
２１６…下面
３００…制御装置
Ｐｉ…ピット
Ｂ…地階部分
【図１】
2018071456.tif 000003
【図２】
2018071456.tif 000004
【図３】
2018071456.tif 000005
【図４】
2018071456.tif 000006
【図５】
2018071456.tif 000007
【図６】
2018071456.tif 000008
【図７Ａ】
2018071456.tif 000009
【図７Ｂ】
2018071456.tif 000010
【図８】
2018071456.tif 000011
【図９】
2018071456.tif 000012